(57)【要約】【課題】入力３原色を出力４原色に変換して表示する際に、簡単な方法で正確な色再現を行うことができる表示装置を提供する。【解決手段】表示装置は、入力映像信号のＲＧＢ３原色をＸＹＺ表色系の三刺激値に変換し、変換した三刺激値を出力映像信号の４原色に変換する色変換部１２を備える。色変換部１２は、出力映像信号の４原色のうちのいずれか１つの色成分を固定すると共に、入力映像信号のＲＧＢ３原色の三刺激値と、固定した色成分の三刺激値との差分である差分三刺激値を求め、求めた差分三刺激値を予め定めた逆行列により固定した色成分以外の３つの色成分に変換する。【選択図】図１
2014039246.tif 000002
【特許請求の範囲】
【請求項１】
赤色，緑色，青色からなるＲＧＢ３原色の入力映像信号を、４原色の出力映像信号に変換して表示する表示装置であって、
前記入力映像信号のＲＧＢ３原色をＸＹＺ表色系の三刺激値に変換し、該変換した三刺激値を前記出力映像信号の４原色に変換する色変換部を備え、
該色変換部は、前記出力映像信号の４原色のうちのいずれか１つの色成分を固定すると共に、前記入力映像信号のＲＧＢ３原色の三刺激値と、前記固定した色成分の三刺激値との差分である差分三刺激値を求め、該求めた差分三刺激値を予め定めた逆行列により前記固定した色成分以外の３つの色成分に変換することを特徴とする表示装置。
【請求項２】
請求項１に記載の表示装置において、前記予め定めた逆行列は、前記出力映像信号の４原色から前記固定した色成分を除いた３つの原色の三刺激値からなる３×３行列の逆行列であることを特徴とする表示装置。
【請求項３】
請求項１または２に記載の表示装置において、前記出力映像信号のＲＧＢ３原色のうちのいずれか１つの色成分を固定する場合、前記出力映像信号の前記固定した色成分の階調値は、前記入力映像信号の同じ色成分の階調値に所定の係数ａ（ａ＞０）を乗じたものであることを特徴とする表示装置。
【請求項４】
請求項３に記載の表示装置において、前記出力映像信号の４原色は、赤色、緑色、青色、黄色からなるＲＧＢＹ４原色であることを特徴とする表示装置。
【請求項５】
請求項４に記載の表示装置において、前記色変換部は、前記出力映像信号の赤色または緑色を固定することを特徴とする表示装置。
【請求項６】
請求項５に記載の表示装置において、前記入力映像信号の赤色の階調値が緑色の階調値より大きい場合、前記色変換部は、前記出力映像信号の赤色を固定することを特徴とする表示装置。
【請求項７】
請求項５に記載の表示装置において、前記入力映像信号の赤色の階調値が緑色の階調値以下の場合、前記色変換部は、前記出力映像信号の緑色を固定することを特徴とする表示装置。
【請求項８】
請求項５に記載の表示装置において、前記色変換部は、前記入力映像信号のフレーム毎に、該入力映像信号の赤色の階調値と緑色の階調値のいずれが大きいかを判定し、判定結果に基づいて、前記出力映像信号のフレーム毎に赤色または緑色を固定することを特徴とする表示装置。
【請求項９】
請求項５に記載の表示装置において、前記入力映像信号の特徴量に基づいてシーンチェンジを判定するシーンチェンジ判定部を備え、前記色変換部は、前記シーンチェンジ判定部によりシーンチェンジと判定された先頭フレームについて、前記入力映像信号の赤色の階調値と緑色の階調値のいずれが大きいかを判定し、判定結果に基づき固定した赤色または緑色を、次のシーンチェンジがあるまで維持することを特徴とする表示装置。
【請求項１０】
請求項３に記載の表示装置において、前記出力映像信号の４原色は、赤色、緑色、青色、シアンからなるＲＧＢＣ４原色であることを特徴とする表示装置。
【請求項１１】
請求項１０に記載の表示装置において、前記色変換部は、前記出力映像信号の緑色または青色を固定することを特徴とする表示装置。
【請求項１２】
請求項１１に記載の表示装置において、前記入力映像信号の緑色の階調値が青色の階調値より大きい場合、前記色変換部は、前記出力映像信号の緑色を固定することを特徴とする表示装置。
【請求項１３】
請求項１１に記載の表示装置において、前記入力映像信号の緑色の階調値が青色の階調値以下の場合、前記色変換部は、前記出力映像信号の青色を固定することを特徴とする表示装置。
【請求項１４】
請求項１または２に記載の表示装置において、前記出力映像信号のＲＧＢ３原色以外の色成分を固定する場合、前記出力映像信号の前記固定した色成分の階調値は、前記入力映像信号のＲＧＢ３原色の中で最小または最大の階調値に所定の係数ａ（ａ＞０）を乗じたものであることを特徴とする表示装置。
【請求項１５】
請求項１４に記載の表示装置において、前記出力映像信号の４原色は、赤色、緑色、青色、白色からなるＲＧＢＷ４原色であることを特徴とする表示装置。
【請求項１６】
請求項１５に記載の表示装置において、前記色変換部は、前記出力映像信号の白色を固定することを特徴とする表示装置。
【発明の詳細な説明】
【技術分野】
【０００１】
本発明は、表示装置に関し、より詳細には、ＲＧＢＹやＲＧＢＷなどの多原色表示に対応した表示装置に関する。
【背景技術】
【０００２】
従来、情報や映像を表示する表示手段として、画素（ピクセル）により画像を形成する各種のディスプレイが製品化されている。例えば、１つの画素が赤（Ｒ）、緑（Ｇ）、及び青（Ｂ）からなる３原色のサブピクセル（副画素）によって構成され、これによりカラー表示するものが一般的である。これらサブピクセルの実現には通常カラーフィルタが用いられる。このようなカラー表示の技術において、３原色以外の新たな色を用いて原色数を４原色以上に増加させることにより、色度図上の領域を拡大したり（有彩色の場合）、輝度効率を向上させる（白の場合）ことができる所謂多原色ディスプレイが開発されている。
【０００３】
上記の多原色ディスプレイでは、原色を４つ以上用いることで、３原色の場合よりも効率の良い広色域ディスプレイを実現することができるが、原色が増えることで色変換の自由度が発生するという問題がある。すなわち、既存の３原色ディスプレイでは、色の三刺激値ＸＹＺと３原色ＲＧＢとは３対３の関係にあるため変換に自由度は存在せず、ユニークに相互変換が可能であるが、これに対して、例えば、４原色にすると、三刺激値ＸＹＺと４原色とは３対４の関係になり、三刺激値と各原色の階調値との変換に自由度が発生し、一意に変換を行うことができない。これは、ある三刺激値ＸＹＺを表示するための原色の組み合わせが複数存在することを示している。
【０００４】
これに対して、例えば、特許文献１には、多原色への色変換を行う場合に、入力された白に対応する画像データを適切に再現可能な色変換装置が開示されている。これによれば、多原色（Ｎ原色）ディスプレイの３次元色域がＮ（Ｎ−１）面体となることを利用し、この多面体を四角錐で切り出したときに、切り出した四角錐を３つのベクトルで表すことができる。このとき、四角錐の内側の色を表す三刺激値ＸＹＺを、３つのベクトルを用いて表現し、３つのベクトルと四角錐の頂点の階調とから、多原色階調を算出する。
【先行技術文献】
【特許文献】
【０００５】
【特許文献１】特開２００７−１３４７５２号公報
【発明の概要】
【発明が解決しようとする課題】
【０００６】
しかしながら、上記特許文献１に記載の技術では、変換したい色が、切り出された四角錐のどれに含まれるか、細かく場合分けする必要があり、複雑な計算を行わなければならない。このように、特許文献１に記載の技術をはじめとする従来技術では、多原色変換で正確な色再現を行うために処理が複雑化されており、より簡単な変換方法が望まれている。
【０００７】
本発明は、上述のような実情に鑑みてなされたもので、入力３原色を出力４原色に変換して表示する際に、簡単な方法で正確な色再現を行うことができる表示装置を提供することを目的とする。
【課題を解決するための手段】
【０００８】
上記課題を解決するために、本発明の第１の技術手段は、赤色，緑色，青色からなるＲＧＢ３原色の入力映像信号を、４原色の出力映像信号に変換して表示する表示装置であって、前記入力映像信号のＲＧＢ３原色をＸＹＺ表色系の三刺激値に変換し、該変換した三刺激値を前記出力映像信号の４原色に変換する色変換部を備え、該色変換部は、前記出力映像信号の４原色のうちのいずれか１つの色成分を固定すると共に、前記入力映像信号のＲＧＢ３原色の三刺激値と、前記固定した色成分の三刺激値との差分である差分三刺激値を求め、該求めた差分三刺激値を予め定めた逆行列により前記固定した色成分以外の３つの色成分に変換することを特徴としたものである。
【０００９】
第２の技術手段は、第１の技術手段において、前記予め定めた逆行列は、前記出力映像信号の４原色から前記固定した色成分を除いた３つの原色の三刺激値からなる３×３行列の逆行列であることを特徴としたものである。
【００１０】
第３の技術手段は、第１または第２の技術手段において、前記出力映像信号のＲＧＢ３原色のうちのいずれか１つの色成分を固定する場合、前記出力映像信号の前記固定した色成分の階調値は、前記入力映像信号の同じ色成分の階調値に所定の係数ａ（ａ＞０）を乗じたものであることを特徴としたものである。
【００１１】
第４の技術手段は、第３の技術手段において、前記出力映像信号の４原色は、赤色、緑色、青色、黄色からなるＲＧＢＹ４原色であることを特徴としたものである。
【００１２】
第５の技術手段は、第４の技術手段において、前記色変換部は、前記出力映像信号の赤色または緑色を固定することを特徴としたものである。
【００１３】
第６の技術手段は、第５の技術手段において、前記入力映像信号の赤色の階調値が緑色の階調値より大きい場合、前記色変換部は、前記出力映像信号の赤色を固定することを特徴としたものである。
【００１４】
第７の技術手段は、第５の技術手段において、前記入力映像信号の赤色の階調値が緑色の階調値以下の場合、前記色変換部は、前記出力映像信号の緑色を固定することを特徴としたものである。
【００１５】
第８の技術手段は、第５の技術手段において、前記色変換部は、前記入力映像信号のフレーム毎に、該入力映像信号の赤色の階調値と緑色の階調値のいずれが大きいかを判定し、判定結果に基づいて、前記出力映像信号のフレーム毎に赤色または緑色を固定することを特徴としたものである。
【００１６】
第９の技術手段は、第５の技術手段において、前記入力映像信号の特徴量に基づいてシーンチェンジを判定するシーンチェンジ判定部を備え、前記色変換部は、前記シーンチェンジ判定部によりシーンチェンジと判定された先頭フレームについて、前記入力映像信号の赤色の階調値と緑色の階調値のいずれが大きいかを判定し、判定結果に基づき固定した赤色または緑色を、次のシーンチェンジがあるまで維持することを特徴としたものである。
【００１７】
第１０の技術手段は、第３の技術手段において、前記出力映像信号の４原色は、赤色、緑色、青色、シアンからなるＲＧＢＣ４原色であることを特徴としたものである。
【００１８】
第１１の技術手段は、第１０の技術手段において、前記色変換部は、前記出力映像信号の緑色または青色を固定することを特徴としたものである。
【００１９】
第１２の技術手段は、第１１の技術手段において、前記入力映像信号の緑色の階調値が青色の階調値より大きい場合、前記色変換部は、前記出力映像信号の緑色を固定することを特徴としたものである。
【００２０】
第１３の技術手段は、第１１の技術手段において、前記入力映像信号の緑色の階調値が青色の階調値以下の場合、前記色変換部は、前記出力映像信号の青色を固定することを特徴としたものである。
【００２１】
第１４の技術手段は、第１または第２の技術手段において、前記出力映像信号のＲＧＢ３原色以外の色成分を固定する場合、前記出力映像信号の前記固定した色成分の階調値は、前記入力映像信号のＲＧＢ３原色の中で最小または最大の階調値に所定の係数ａ（ａ＞０）を乗じたものであることを特徴としたものである。
【００２２】
第１５の技術手段は、第１４の技術手段において、前記出力映像信号の４原色は、赤色、緑色、青色、白色からなるＲＧＢＷ４原色であることを特徴としたものである。
【００２３】
第１６の技術手段は、第１５の技術手段において、前記色変換部は、前記出力映像信号の白色を固定することを特徴としたものである。
【発明の効果】
【００２４】
本発明によれば、出力映像信号の４原色のうちのいずれか１つの色成分を固定し、残りの３色により３×３の行列演算を行うことができるため、入力３原色を出力４原色に変換して表示する際に、簡単な方法で正確な色再現を行うことができる。
【図面の簡単な説明】
【００２５】
【図１】本発明の第１の実施形態に係る表示装置の構成例を示すブロック図である。
【図２】表示部の構成例を模式的に示した図である。
【図３】色変換部の処理例について説明するための図である。
【図４】ＲＧＢからＲＧＢＹへの色変換処理の一例を説明するためのフロー図である。
【図５】本発明の第２の実施形態に係る表示装置の構成例を示すブロック図である。
【図６】映像ヒストグラムの一例を示す図である。
【図７】シーン毎に固定色を決定する方法の一例を説明するための図である。
【図８】色変換メニュー画面の一例を示す図である。
【発明を実施するための形態】
【００２６】
以下、添付図面を参照しながら、本発明の表示装置に係る好適な実施の形態について説明する。
【００２７】
（第１の実施形態）
図１は、本発明の第１の実施形態に係る表示装置の構成例を示すブロック図である。本例では表示装置としてＲＧＢＹ（赤緑青黄）型液晶表示装置を例示して説明するが、ＲＧＢＣ（赤緑青シアン）型またはＲＧＢＷ（赤緑青白）型などの他の多原色対応のディスプレイであっても基本的な構成は同様である。この液晶表示装置は、大きく分けて、駆動制御回路１、入力部２、映像処理回路３、制御部４、光源制御回路５、および表示部６で構成される。表示部６は、アクティブマトリクス型のカラー表示パネルを備え、駆動制御回路１は表示部６を駆動するための駆動信号を生成する。
【００２８】
入力部２は、デジタル放送信号を受信してこのデジタル放送信号に含まれる映像信号を入力するチューナ、あるいは、ゲーム機やプレーヤ、レコーダなどの外部機器を接続し、外部機器から映像信号を入力する外部インターフェイスである。以下ではこの入力部２から入力される映像信号を入力映像信号という。映像処理回路３は、入力部２からの入力映像信号に対して各種の信号処理を実行する回路である。制御部４は、液晶表示装置の動作を制御するＣＰＵやメモリなどで構成される。光源制御回路５は、制御部４からの制御指令に従って、表示部６を構成するバックライト光源に供給する電力を制御してバックライト光源の輝度を調整する。
【００２９】
表示部６は、カラーフィルタ７と、液晶パネル本体８と、バックライト光源９とで構成される。液晶パネル本体８は、複数のデータ信号線と、複数のデータ信号線に交差する複数の走査信号線とが形成されている。この液晶パネル本体８とカラーフィルタ７とにより、マトリクス状に配置された複数の画素形成部を含むカラー液晶パネルが構成される。バックライト光源９は、例えば、ＬＥＤ（Light Emitting Diode）や冷陰極線管（ＣＣＦＬ：Cold Cathode Fluorescent Lamp）などが考えられる。
【００３０】
また、液晶表示装置は、リモコン装置Ｒから送信されるリモコン操作信号を受光するためのリモコン受光部１５を備える。リモコン受光部１５は、例えば、赤外線によるリモコン操作信号を受光するための受光素子により構成される。リモコン受光部１５によって受光されたリモコン操作信号は制御部４に入力され、制御部４ではこのリモコン操作信号に従って所定の制御を行う。
【００３１】
図２は、表示部６の構成例を模式的に示した図である。表示部６における各画素形成部６２は、赤（Ｒ）、緑（Ｇ）、青（Ｂ）、黄（Ｙ）にそれぞれ対応するＲ副画素形成部６１ｒ、Ｇ副画素形成部６１ｇ、Ｂ副画素形成部６１ｂ、及びＹ副画素形成部６１ｙからなり、この表示部６によって表示されるカラー画像の各画素は、赤、緑、青、黄にそれぞれ対応するＲ副画素、Ｇ副画素、Ｂ副画素、Ｙ副画素からなる。なお、この副画素とサブピクセルとは同義であるものとする。
【００３２】
駆動制御回路１は、表示制御回路１１と、データ信号線駆動回路１３と、走査信号線駆動回路１４とを備えている。表示制御回路１１は、映像処理回路３からデータ信号ＤＡＴ（Ｒｉ，Ｇｉ，Ｂｉ）と、図示しないタイミングコントローラからタイミング制御信号ＴＳを受け取り、デジタル映像信号ＤＶ（Ｒｏ，Ｇｏ，Ｂｏ，Ｙｏ）、データスタートパルス信号ＳＳＰ、データクロック信号ＳＣＫ，ラッチストロープ信号ＬＳ、ゲートスタートパルス信号ＧＳＰ、及びゲートクロック信号ＧＣＫ等を出力する。
【００３３】
図２に示すように、表示部６の各画素形成部６２が、赤、緑、青、黄にそれぞれ対応するＲ副画素形成部６１ｒ、Ｇ副画素形成部６１ｇ、Ｂ副画素形成部６１ｂ、Ｙ副画素形成部６１ｙからなり、データ信号ＤＡＴは、赤、緑、青のＲＧＢ３原色にそれぞれ対応する３つの原色信号（Ｒｉ，Ｇｉ，Ｂｉ）からなる。表示制御回路１１は、ＲＧＢの３原色に対応した入力原色信号（Ｒｉ，Ｇｉ，Ｂｉ）を、ＲＧＢＹの４原色に対応した出力原色信号（Ｒｏ，Ｇｏ，Ｂｏ，Ｙｏ）に変換する色変換部１２を備える。デジタル映像信号ＤＶは、色変換部１２から出力される出力原色信号（Ｒｏ，Ｇｏ，Ｂｏ，Ｙｏ）であり、これにより表示部６に表示すべきカラー画像を表示する。
【００３４】
また、上記のデータスタートパルス信号ＳＳＰ、データクロック信号ＳＣＫ、ラッチストローブ信号ＬＳ、ゲートスタートパルス信号ＧＳＰ、およびゲートクロック信号ＧＣＫ等は、表示部６に画像を表示するタイミングを制御するためのタイミング信号である。
【００３５】
データ信号線駆動回路１３は、表示制御回路１１から出力されたデジタル画像信号ＤＶ（Ｒｏ，Ｇｏ，Ｂｏ，Ｙｏ）、データスタートパルス信号ＳＳＰ、データクロック信号ＳＣＫ、およびラッチストローブ信号ＬＳを受け取り、表示部６内の各副画素形成部６１ｒ，６１ｇ，６１ｂ，６１ｙにおける画素容量を充電するためにデータ信号電圧を駆動信号として各データ信号線に印加する。このとき、データ信号線駆動回路１３では、データクロック信号ＳＣＫのパルスが発生するタイミングで、各データ信号線に印加すべき電圧を示すデジタル映像信号ＤＶが順次に保持される。そして、ラッチストローブ信号ＬＳのパルスが発生するタイミングで、上記保持されたデジタル映像信号ＤＶがアナログ電圧に変換され、データ信号電圧として表示部６における全てのデータ信号線に一斉に印加される。
【００３６】
ここで、データ信号線駆動回路１３は、デジタル映像信号ＤＶを構成する原色信号Ｒｏ，Ｇｏ，Ｂｏ，Ｙｏに応じたアナログ電圧をデータ信号電圧として生成し、Ｒ副画素形成部６１ｒに接続されるデータ信号線には赤の原色信号Ｒｏに応じたデータ信号電圧を印加し、Ｇ副画素形成部６１ｇに接続されるデータ信号線には緑の原色信号Ｇｏに応じたデータ信号電圧を印加し、Ｂ副画素形成部６１ｂに接続されるデータ信号線には青の原色信号Ｂｏに応じたデータ信号電圧を印加し、Ｙ副画素形成部６１ｙに接続されるデータ信号線には黄の原色信号Ｙｏに応じたデータ信号電圧を印加する。
【００３７】
走査信号線駆動回路１４は、表示制御回路１１から出力されたゲートスタートパルス信号ＧＳＰとゲートクロック信号ＧＣＫとに基づいて、表示部６における走査信号線にアクティブな走査信号（走査信号電圧）を順次印加する。
【００３８】
以上のようにして表示部６において、データ信号線にはデータ信号電圧が、走査信号線には走査信号電圧がそれぞれ印加される。これにより、各副画素形成部６１ｒ，６１ｇ，６１ｂ，６１ｙの画素容量には、デジタル映像信号ＤＶに応じた電圧が保持されて液晶層に印加され、その結果、デジタル映像信号ＤＶの表すカラー画像が表示部６に表示される。
【００３９】
なお、このとき、各Ｒ副画素形成部６１ｒは、その内部の画素容量に保持される電圧に応じて赤色光の透過量を制御し、各Ｇ副画素形成部６１ｇは、その内部の画素容量に保持される電圧に応じて緑色光の透過量を制御し、各Ｂ副画素形成部６１ｂは、その内部の画素容量に保持される電圧に応じて青色光の透過量を制御し、各Ｙ副画素形成部６１ｙは、その内部の画素容量に保持される電圧に応じて黄色光の透過量を制御する。
【００４０】
本発明の主たる目的は、入力３原色を出力４原色に変換して表示する際に、簡単な方法で正確な色再現を行えるようにすることにある。このための構成として、液晶表示装置は、入力映像信号のＲＧＢ３原色をＸＹＺ表色系の三刺激値に変換し、変換した三刺激値を出力映像信号の４原色に変換する色変換部１２を備える。色変換部１２は、出力映像信号の４原色のうちのいずれか１つの色成分を固定すると共に、入力映像信号のＲＧＢ３原色の三刺激値と、固定した色成分の三刺激値との差分である差分三刺激値を求め、求めた差分三刺激値を予め定めた逆行列により固定した色成分以外の３つの色成分に変換する。
【００４１】
色変換部１２の処理例について図３に基づき具体的に説明する。入力映像信号ＲｉＧｉＢｉから三刺激値ＸＹＺへの変換は、入力映像信号ＲｉＧｉＢｉの原色点の三刺激値（Ｘ３Ｒ，Ｘ３Ｇ，…，Ｚ３Ｂ）からなる３×３行列を用いて、以下の式（１）により算出される。なお、式（１）の３×３行列を構成する各値は、入力映像信号の種類によって決定される。
【００４２】
【数１】
2014039246.tif 000003
【００４３】
そして、上記式（１）により算出された三刺激値ＸＹＺから出力映像信号ＲｏＧｏＢｏＥｏ（色成分Ｅｏは黄色ＹｏまたはシアンＣｏまたは白色Ｗｏ）へ変換されるが、本発明では出力映像信号ＲｏＧｏＢｏＥｏのうちのいずれか１つの色成分を固定する。なお、入力映像信号ＲｉＧｉＢｉおよび出力映像信号ＲｏＧｏＢｏＥｏは、逆ガンマをかけて線形になった信号である（以下、同様）。ここで、ＲＧＢ以外の色成分Ｅｏを例えば黄色Ｙｏとした場合、出力映像信号ＲｏＧｏＢｏＥｏの原色点の三刺激値（Ｘ４Ｒ，Ｘ４Ｇ，…，Ｚ４Ｅ）からなる３×３行列の逆行列を用いて、以下の式（２）により算出される。この式（２）の例は、出力映像信号ＲｏＧｏＢｏＥｏのうち赤色成分Ｒｏを固定した場合について示す。
【００４４】
【数２】
2014039246.tif 000004
【００４５】
出力映像信号ＲｏＧｏＢｏＥｏの固定した赤色成分Ｒｏ（以下、固定赤色成分Ｒｏという）の階調値（０〜２５５）は、入力映像信号ＲｉＧｉＢｉの同じ赤色成分Ｒｉの階調値（０〜２５５）に所定の係数ａ（ａ＞０）を乗じたものである。なお、この係数ａは、定数、変数、関数のいずれであってもよいが、固定赤色成分Ｒｏの最大階調値２５５を超えない範囲で設定される。例えば、ａ＝１とすれば、Ｒｏ＝Ｒｉとなる。つまり、出力映像信号の赤色成分Ｒｏは、入力映像信号の赤色成分Ｒｉと同じ階調値に固定される。
【００４６】
また、式（２）における逆行列は、出力映像信号ＲｏＧｏＢｏＥｏの４原色から固定赤色成分Ｒｏを除いた３つの原色ＧｏＢｏＥｏの三刺激値（Ｘ４Ｇ，Ｘ４Ｂ，…，Ｚ４Ｅ）からなる３×３行列の逆行列である。なお、式（２）におけるＸ４Ｒ，Ｘ４Ｇ，Ｘ４Ｂ，Ｘ４Ｅ，Ｙ４Ｒ，Ｙ４Ｇ，Ｙ４Ｂ，Ｙ４Ｅ，Ｚ４Ｒ，Ｚ４Ｇ，Ｚ４Ｂ，Ｚ４Ｅの各値は、液晶表示装置の表示パネルの特性に基づいて決定されるもので、以下の式（３）〜式（１３）についても同様である。
【００４７】
さらに、入力映像信号ＲｉＧｉＢｉの三刺激値（Ｘ，Ｙ，Ｚ）と、固定赤色成分Ｒｏの三刺激値（Ｘ４Ｒ×Ｒｏ，Ｙ４Ｒ×Ｒｏ，Ｚ４Ｒ×Ｒｏ）との差分である差分三刺激値（Ｘ−Ｘ４Ｒ×Ｒｏ，Ｙ−Ｙ４Ｒ×Ｒｏ，Ｚ−Ｚ４Ｒ×Ｒｏ）を求め、求めた差分三刺激値（Ｘ−Ｘ４Ｒ×Ｒｏ，Ｙ−Ｙ４Ｒ×Ｒｏ，Ｚ−Ｚ４Ｒ×Ｒｏ）を、上記の逆行列（Ｘ４Ｇ，Ｘ４Ｂ，…，Ｚ４Ｅ）により、固定赤色成分Ｒｏ以外の３つの色成分（Ｇｏ，Ｂｏ，Ｅｏ）に変換する。
【００４８】
このように、出力４色信号のうち赤色成分を固定することで、残りの３色によって３×３の行列演算を行うことができるため、入力３色信号の三刺激値ＸＹＺを出力４色信号に簡単に変換することができる。
【００４９】
以下の式（３）の例は、出力映像信号ＲｏＧｏＢｏＥｏのうち緑色成分Ｇｏを固定した場合について示す。なお、ＲＧＢ以外の色成分Ｅｏは例えば黄色ＹｏまたはシアンＣｏとする。
【００５０】
【数３】
2014039246.tif 000005
【００５１】
出力映像信号ＲｏＧｏＢｏＥｏの固定した緑色成分Ｇｏ（以下、固定緑色成分Ｇｏという）の階調値（０〜２５５）は、入力映像信号ＲｉＧｉＢｉの同じ緑色成分Ｇｉの階調値（０〜２５５）に所定の係数ａ（＞０）を乗じたものである。なお、この係数ａは、定数、変数、関数のいずれであってもよいが、固定緑色成分Ｇｏの最大階調値２５５を超えない範囲で設定される。例えば、ａ＝１とすれば、Ｇｏ＝Ｇｉとなる。つまり、出力映像信号の緑色成分Ｇｏは、入力映像信号の緑色成分Ｇｉと同じ階調値に固定される。
【００５２】
また、式（３）における逆行列は、出力映像信号ＲｏＧｏＢｏＥｏの４原色から固定緑色成分Ｇｏを除いた３つの原色ＲｏＢｏＥｏの三刺激値（Ｘ４Ｒ，Ｘ４Ｂ，…，Ｚ４Ｅ）からなる３×３行列の逆行列である。
【００５３】
さらに、入力映像信号ＲｉＧｉＢｉの三刺激値（Ｘ，Ｙ，Ｚ）と、固定緑色成分Ｇｏの三刺激値（Ｘ４Ｇ×Ｇｏ，Ｙ４Ｇ×Ｇｏ，Ｚ４Ｇ×Ｇｏ）との差分である差分三刺激値（Ｘ−Ｘ４Ｇ×Ｇｏ，Ｙ−Ｙ４Ｇ×Ｇｏ，Ｚ−Ｚ４Ｇ×Ｇｏ）を求め、求めた差分三刺激値（Ｘ−Ｘ４Ｇ×Ｇｏ，Ｙ−Ｙ４Ｇ×Ｇｏ，Ｚ−Ｚ４Ｇ×Ｇｏ）を、上記の逆行列（Ｘ４Ｒ，Ｘ４Ｂ，…，Ｚ４Ｅ）により、固定緑色成分Ｇｏ以外の３つの色成分（Ｒｏ，Ｂｏ，Ｅｏ）に変換する。
【００５４】
このように、出力４色信号のうち緑色成分を固定することで、残りの３色によって３×３の行列演算を行うことができるため、入力３色信号の三刺激値ＸＹＺを出力４色信号に簡単に変換することができる。
【００５５】
以下の式（４）の例は、出力映像信号ＲｏＧｏＢｏＥｏのうち青色成分Ｂｏを固定した場合について示す。なお、ＲＧＢ以外の色成分Ｅｏは例えばシアンＣｏとする。
【００５６】
【数４】
2014039246.tif 000006
【００５７】
出力映像信号ＲｏＧｏＢｏＥｏの固定した青色成分Ｂｏ（以下、固定青色成分Ｂｏという）の階調値（０〜２５５）は、入力映像信号ＲｉＧｉＢｉの同じ青色成分Ｂｉの階調値（０〜２５５）に所定の係数ａ（ａ＞０）を乗じたものである。なお、この係数ａは、定数、変数、関数のいずれであってもよいが、固定青色成分Ｂｏの最大階調値２５５を超えない範囲で設定される。例えば、ａ＝１とすれば、Ｂｏ＝Ｂｉとなる。つまり、出力映像信号の青色成分Ｂｏは、入力映像信号の青色成分Ｂｉと同じ階調値に固定される。
【００５８】
また、式（４）における逆行列は、出力映像信号ＲｏＧｏＢｏＥｏの４原色から固定青色成分Ｂｏを除いた３つの原色ＲｏＧｏＥｏの三刺激値（Ｘ４Ｒ，Ｘ４Ｇ，…，Ｚ４Ｅ）からなる３×３行列の逆行列である。
【００５９】
さらに、入力映像信号ＲｉＧｉＢｉの三刺激値（Ｘ，Ｙ，Ｚ）と、固定青色成分Ｂｏの三刺激値（Ｘ４Ｂ×Ｂｏ，Ｙ４Ｂ×Ｂｏ，Ｚ４Ｂ×Ｂｏ）との差分である差分三刺激値（Ｘ−Ｘ４Ｂ×Ｂｏ，Ｙ−Ｙ４Ｂ×Ｂｏ，Ｚ−Ｚ４Ｂ×Ｂｏ）を求め、求めた差分三刺激値（Ｘ−Ｘ４Ｂ×Ｂｏ，Ｙ−Ｙ４Ｂ×Ｂｏ，Ｚ−Ｚ４Ｂ×Ｂｏ）を、上記の逆行列（Ｘ４Ｒ，Ｘ４Ｇ，…，Ｚ４Ｅ）により、固定青色成分Ｂｏ以外の３つの色成分（Ｒｏ，Ｇｏ，Ｅｏ）に変換する。
【００６０】
このように、出力４色信号のうち青色成分を固定することで、残りの３色によって３×３の行列演算を行うことができるため、入力３色信号の三刺激値ＸＹＺを出力４色信号に簡単に変換することができる。
【００６１】
上記では、出力映像信号ＲｏＧｏＢｏＥｏのうち、赤色成分Ｒｏ、緑色成分Ｇｏ、青色成分Ｂｏのいずれか１色を固定したが、ＲＧＢ３原色以外の色成分Ｅｏを固定してもよい。以下の式（５）、（６）の例は、出力映像信号ＲｏＧｏＢｏＥｏのうちＲＧＢ３原色以外の色成分Ｅｏを固定した場合について示す。なお、ＲＧＢ以外の色成分Ｅｏは例えば白色Ｗｏとする。
【００６２】
【数５】
2014039246.tif 000007
【００６３】
出力映像信号ＲｏＧｏＢｏＥｏの固定した色成分Ｅｏ（以下、固定色成分Ｅｏという）の階調値（０〜２５５）は、入力映像信号ＲｉＧｉＢｉのＲＧＢ３原色の中で最小（式５）または最大（式６）の階調値（０〜２５５）に所定の係数ａ（＞０）を乗じたものである。なお、この係数ａは、定数、変数、関数のいずれであってもよいが、固定色成分Ｅｏの最大階調値２５５を超えない範囲で設定される。例えば、ａ＝１とすれば、Ｅｏ＝ｍｉｎ（Ｒｉ，Ｇｉ，Ｂｉ）またはｍａｘ（Ｒｉ，Ｇｉ，Ｂｉ）となる。つまり、出力映像信号の色成分Ｅｏは、入力映像信号のＲＧＢ３原色の中で最小階調値または最大階調値と同じ階調値に固定される。
【００６４】
また、式（５）、式（６）における逆行列は、出力映像信号ＲｏＧｏＢｏＥｏの４原色から固定色成分Ｅｏを除いた３つの原色ＲｏＧｏＢｏの三刺激値（Ｘ４Ｒ，Ｘ４Ｇ，…，Ｚ４Ｂ）からなる３×３行列の逆行列である。
【００６５】
さらに、入力映像信号ＲｉＧｉＢｉの三刺激値（Ｘ，Ｙ，Ｚ）と、固定色成分Ｅｏの三刺激値（Ｘ４Ｅ×Ｅｏ，Ｙ４Ｅ×Ｅｏ，Ｚ４Ｅ×Ｅｏ）との差分である差分三刺激値（Ｘ−Ｘ４Ｅ×Ｅｏ，Ｙ−Ｙ４Ｅ×Ｅｏ，Ｚ−Ｚ４Ｅ×Ｅｏ）を求め、求めた差分三刺激値（Ｘ−Ｘ４Ｅ×Ｅｏ，Ｙ−Ｙ４Ｅ×Ｅｏ，Ｚ−Ｚ４Ｅ×Ｅｏ）を、上記の逆行列（Ｘ４Ｒ，Ｘ４Ｇ，…，Ｚ４Ｂ）により、固定色成分Ｅｏ以外の３つの色成分（Ｒｏ，Ｇｏ，Ｂｏ）に変換する。
【００６６】
このように、出力４色信号のうちＲＧＢ３原色以外の色成分を固定することで、残りの３色によって３×３の行列演算を行うことができるため、入力３色信号の三刺激値ＸＹＺを出力４色信号に簡単に変換することができる。
【００６７】
ここで、ＲＧＢ以外の４色目の色成分を何にするかによって、固定する色成分を決めることができる。例えば、４色目（Ｅｏ）を黄色にした場合、赤色または緑色を固定する、また、４色目（Ｅｏ）をシアンにした場合、緑色または青色を固定する、また、４色目（Ｅｏ）を白色にした場合、白色を固定する。本発明では単純なマトリクス計算を行う関係で、固定色の選び方次第では出力信号の計算結果が０未満や２５５を越えてしまう場合がある。そこで、４色目を黄色、シアン、白色とした場合のそれぞれについて固定色を変化させて出力信号の計算を行ってみたところ、上記のように固定色を決めることで、計算結果が飽和し難いことが分かった。なお、４色目を白色にした場合、ＲＧＢのいずれかを固定してもよいが、このような理由により、白色を固定したようが好ましい。
【００６８】
出力映像信号をＲｏＧｏＢｏＹｏ（赤緑青黄の４原色）とした場合の実施例について説明する。第１の例として、出力映像信号の固定色を変えない方法がある。この場合、色変換部１２は、出力映像信号の赤色成分Ｒｏまたは緑色成分Ｇｏのいずれかを固定する。赤色成分Ｒｏを固定した場合の行列演算は式（７）により行われる。
【００６９】
【数６】
2014039246.tif 000008
【００７０】
なお、係数ａの具体例としては、赤色成分Ｒｉの階調値＞緑色成分Ｇｉの階調値の場合、
ａ＝１
赤色成分Ｒｉの階調値≦緑色成分Ｇｉの階調値の場合、
ａ＝１−（Ｇｉ−Ｒｉ）＊ｂ／Ｇｉ
但し、Ｇｉ，Ｒｉは入力階調値、ｂは定数とする。
【００７１】
また、第２の例として、入力映像信号の赤色成分Ｒｉの階調と緑色成分Ｇｉの階調との大小関係によって出力映像信号の固定色を変えてもよい。この場合、制御部４は、入力映像信号ＲｉＧｉＢｉの赤色成分Ｒｉの階調値と、緑色成分Ｇｉの階調値とを比較し、赤色成分Ｒｉの階調値＞緑色成分Ｇｉの階調値の場合、色変換部１２は、出力映像信号の赤色成分Ｒｏを固定する。このときの行列演算は式（８）により行われる。また、赤色成分Ｒｉの階調値≦緑色成分Ｇｉの階調値の場合、色変換部１２は、出力映像信号の緑色成分Ｇｏを固定する。このときの行列演算は式（９）により行われる。なお、式（８），（９）における係数ａ１，ａ２は、前述したように、定数、変数、関数のいずれであってもよい。
【００７２】
【数７】
2014039246.tif 000009
【００７３】
次に、出力映像信号をＲｏＧｏＢｏＣｏ（赤緑青シアンの４原色）とした場合の実施例について説明する。第１の例として、出力映像信号の固定色を変えない方法がある。この場合、色変換部１２は、出力映像信号の緑色成分Ｇｏまたは青色成分Ｂｏのいずれかを固定する。青色成分Ｂｏを固定した場合の行列演算は式（１０）により行われる。
【００７４】
【数８】
2014039246.tif 000010
【００７５】
なお、係数ａの具体例としては、青色成分Ｂｉの階調値＞緑色成分Ｇｉの階調値の場合、
ａ＝１
青色成分Ｂｉの階調値≦緑色成分Ｇｉの階調値の場合、
ａ＝１−（Ｇｉ−Ｂｉ）＊ｂ／Ｇｉ
但し、Ｇｉ，Ｂｉは入力階調値、ｂは定数である。
【００７６】
また、第２の例として、入力映像信号の緑色成分Ｇｉの階調と青色成分Ｂｉの階調との大小関係によって出力映像信号の固定色を変えてもよい。この場合、制御部４は、入力映像信号ＲｉＧｉＢｉの緑色成分Ｇｉの階調値と、青色成分Ｂｉの階調値とを比較し、緑色成分Ｇｉの階調値＞青色成分Ｂｉの階調値の場合、色変換部１２は、出力映像信号の緑色成分Ｇｏを固定する。このときの行列演算は式（１１）により行われる。また、緑色成分Ｇｉの階調値≦青色成分Ｂｉの階調値の場合、色変換部１２は、出力映像信号の青色成分Ｂｏを固定する。このときの行列演算は式（１２）により行われる。なお、式（１１），（１２）における係数ａ１，ａ２は、前述したように、定数、変数、関数のいずれであってもよい。
【００７７】
【数９】
2014039246.tif 000011
【００７８】
次に、出力映像信号をＲｏＧｏＢｏＷｏ（赤緑青白の４原色）とした場合の実施例について説明する。この場合、制御部４は、入力映像信号ＲｉＧｉＢｉにおけるＲＧＢ３原色の各階調の大小関係を判定し、色変換部１２は、この判定結果に基づいて、出力映像信号の白色成分Ｗｏ（Ｗｏ≦２５５）を、これらＲＧＢ３原色の中の例えば最小階調値に係数ａ（ａ＞０）を乗じた値に固定する。このときの行列演算は式（１３）により行われる。なお、式（１３）における係数ａは、前述したように、定数、変数、関数のいずれであってもよい。
【００７９】
【数１０】
2014039246.tif 000012
【００８０】
なお、係数ａの具体例としては、
ａ＝（Ｙ４Ｒ＋Ｙ４Ｇ＋Ｙ４Ｂ＋Ｙ４Ｗ）／Ｙ４Ｗ
但し、Ｙは色の刺激値である。
【００８１】
なお、白画素を用いるメリットは輝度効率の向上であるため、出来るだけ白画素を多く使いつつ、階調の飽和を防ぐ必要がある。本例はこのための一つの手法である。もちろん、ＲｏＧｏＢｏＹｏ，ＲｏＧｏＢｏＣｏの例のように階調だけで計算してもよいが、各色の輝度比を用いて計算してもよい。
【００８２】
図４は、ＲＧＢからＲＧＢＹへの色変換処理の一例を説明するためのフロー図である。まず、色変換部１２は、ＲＧＢ３原色からなる映像信号ＲｉＧｉＢｉが入力されると（ステップＳ１）、この入力映像信号ＲｉＧｉＢｉを前述の式（１）に従ってＸＹＺ表色系の三刺激値ＸＹＺに変換する（ステップＳ２）。また、制御部４は、入力映像信号ＲｉＧｉＢｉに含まれる赤色成分Ｒｉの階調値と緑色成分Ｇｉの階調値とを比較する（ステップＳ３）。
【００８３】
そして、制御部４は、赤色成分Ｒｉの階調値が緑色成分Ｇｉの階調値よりも大きいと判定した場合（ステップＳ３でＹＥＳの場合）、この判定結果を色変換部１２に通知し、色変換部１２は、制御部４からの通知を受けて、前述の式（８）に従って、出力映像信号ＲｏＧｏＢｏＥｏの赤色成分Ｒｏの階調値を、入力映像信号ＲｉＧｉＢｉの赤色成分Ｒｉの階調値と同じ値に固定する（ステップＳ４）。なお、ここでは式（８）の係数ａ１＝１とする。
【００８４】
また、制御部４は、赤色成分Ｒｉの階調値が緑色成分Ｇｉの階調値よりも大きくないと判定した場合（ステップＳ３でＮＯの場合）、この判定結果を色変換部１２に通知し、色変換部１２は、制御部４からの通知を受けて、前述の式（９）に従って、出力映像信号ＲｏＧｏＢｏＥｏの緑色成分Ｇｏの階調値を、入力映像信号ＲｉＧｉＢｉの緑色成分Ｇｉの階調値と同じ値に固定する（ステップＳ５）。なお、ここでは式（９）の係数ａ２＝１とする。
【００８５】
次に、赤色成分Ｒｏを固定した場合、色変換部１２は、入力映像信号ＲｉＧｉＢｉの三刺激値（Ｘ，Ｙ，Ｚ）と、固定赤色成分Ｒｏの三刺激値（Ｘ４Ｒ×Ｒｏ，Ｙ４Ｒ×Ｒｏ，Ｚ４Ｒ×Ｒｏ）との差分である差分三刺激値（Ｘ−Ｘ４Ｒ×Ｒｏ，Ｙ−Ｙ４Ｒ×Ｒｏ，Ｚ−Ｚ４Ｒ×Ｒｏ）を求め、式（８）に従って、求めた差分三刺激値（Ｘ−Ｘ４Ｒ×Ｒｏ，Ｙ−Ｙ４Ｒ×Ｒｏ，Ｚ−Ｚ４Ｒ×Ｒｏ）を、３×３の逆行列（Ｘ４Ｇ，Ｘ４Ｂ，…，Ｚ４Ｙ）により、固定赤色成分Ｒｏ以外の３つの色成分（Ｇｏ，Ｂｏ，Ｙｏ）に変換する（ステップＳ６）。なお、緑色成分Ｇｏを固定した場合は式（９）に従って同様の計算を行う。
【００８６】
そして、色変換部１２は、ステップＳ６で変換した映像信号ＲｏＧｏＢｏＹｏを出力する（ステップＳ７）。このようにして、ＲＧＢからＲＧＢＹに変換する際に、ＲＧＢＹのうちＲ成分またはＧ成分を固定することで、残りの３色によって３×３の行列演算を行うことができるため、入力ＲＧＢ信号の三刺激値ＸＹＺを出力ＲＧＢＹ信号に簡単に変換することができる。
【００８７】
（第２の実施形態）
図５は、本発明の第２の実施形態に係る表示装置の構成例を示すブロック図で、図中、１２′は色変換部、１６はシーンチェンジ判定部を示す。上述の第１の実施形態では、基本的に画素単位で固定色を決定していたが、フレーム単位で固定色を決定するようにしてもよい。すなわち、ＲＧＢからＲＧＢＹへの色変換の場合、色変換部１２′は、入力映像信号ＲｉＧｉＢｉのフレーム毎に、入力映像信号の赤色成分Ｒｉの階調値と緑色成分Ｇｉの階調値のいずれが大きいかを判定し、判定結果に基づいて、出力映像信号ＲｏＧｏＢｏのフレーム毎に赤色成分Ｒｏまたは緑色成分Ｇｏを固定する。
【００８８】
上記において、１フレームの画像として見た場合、画素毎に固定する色が異なると、例えば、グラデーションの映像等を斜めから見たような場合に、視聴者に色の不連続感を与えることがある。例えば、赤色成分Ｒｉの階調値と緑色成分Ｇｉの階調値の大小関係に基づいて、ＲまたはＧを固定する際に、シアンからマゼンタに色が徐々に変化するような場合、シアン側ではＧが固定色となり、マゼンタ側ではＲが固定色となることから、両方の中間色付近で色が不連続になってしまう場合がある。これを改善するために、１フレームの画像において、赤色成分Ｒｉと緑色成分Ｇｉのどちらが支配的か判定し、この判定結果に基づいて、フレーム単位で固定色を決定する。
【００８９】
より具体的には、第１の方法として、１フレームの全画素について、赤色成分Ｒｉの階調値のほうが緑色成分Ｇｉの階調値よりも大きい画素の数と、緑色成分Ｇｉの階調値のほうが赤色成分Ｒｉの階調値よりも大きい画素の数とをカウントし、カウント値の大きいほうの色成分（ＲまたはＧ）を固定色とする。また、第２の方法として、１フレームの全画素について、赤色成分Ｒｉの階調値の合計と、緑色成分Ｇｉの階調値の合計とを算出し、合計値の大きいほうの色成分（ＲまたはＧ）を固定色としてもよい。また、第３の方法として、色が表現し易い中間調領域の画素について、上記の第１の方法あるいは第２の方法を実行するようにしてもよい。具体的には、図６（Ａ）に示すように、映像ヒストグラムの０〜２５５階調のうち１２８階調付近の画素や、図６（Ｂ）に示すように、映像ヒストグラムの中央値付近の画素について、第１の方法あるいは第２の方法を実行する。
【００９０】
また、さらに他の実施形態として、連続するシーンの間、固定色を変化させないことも考えられる。動画等において色の連続性を確保したい場合、一連のシーンの先頭フレームで固定色を決定し、その後、シーンが変化するまでは固定色をそのまま維持するようにしてもよい。すなわち、ＲＧＢからＲＧＢＹへ色変換する場合、液晶表示装置は、入力映像信号ＲｉＧｉＢｉの特徴量に基づいてシーンチェンジを判定するシーンチェンジ判定部１６を備え、色変換部１２′は、シーンチェンジ判定部１６によりシーンチェンジと判定された先頭フレームについて、入力映像信号の赤色成分Ｒｉの階調値と緑色成分Ｇｉの階調値のいずれが大きいかを判定し、判定結果に基づき固定した赤色または緑色を、次のシーンチェンジがあるまで維持する。
【００９１】
図７において、一連のシーン１とシーン２とがあった場合に、シーン１の先頭フレームＡでは赤色Ｒを固定色として決定し、シーン１に含まれる後続フレームでは赤色Ｒをそのまま固定する。また、シーン２の先頭フレームＢでは緑色Ｇを固定色として決定し、シーン２に含まれる後続フレームでは緑色Ｇをそのまま固定する。なお、上記入力映像信号ＲｉＧｉＢｉの特徴量としては、例えば、入力映像信号ＲｉＧｉＢｉのＡＰＬ(Average Picture Level)などを挙げることができる。これにより、シーンの色合いに応じた色変換ができると共に、一連のシーンの間、色の連続性を維持することができる。
【００９２】
また、既に録画された番組では、再生の前に、番組の映像について赤色Ｒまたは緑色Ｇのどちらが支配的かを判定し、判定結果に応じて、固定色を決定するようにしてもよい。この場合、シーン全体として、適切な色変換を行うことができるため望ましい。
【００９３】
ここで、上記では、ＲＧＢからＲＧＢＹへの色変換を例示して説明したが、ＲＧＢからＲＧＢＣへの色変換であっても同様の処理が可能である。この場合、固定色が赤色Ｒまたは緑色Ｇではなく、緑色Ｇまたは青色Ｂとなる。
【００９４】
図８は、色変換メニュー画面の一例を示す図で、図中、２０は色変換メニュー画面を示す。色変換メニュー画面２０は、固定色自動選択モード２１、固定色一定モード２２、コンテンツ連動モード２３を有する。ユーザの操作により色変換メニュー画面２０を表示部６に表示させ、色変換メニュー画面２０から所望のモードを選択し、「ＯＫ」ボタンを押下することで、モード設定される。なお、「Ｃａｎｃｅｌ」ボタンが押下されると、色変換メニュー画面２０が消去される。
【００９５】
以下、ＲＧＢからＲＧＢＹへの色変換の場合を例示して説明するが、ＲＧＢからＲＧＢＣへの色変換であっても同様である。固定色自動選択モード２１は、赤色Ｒまたは緑色Ｇの大小関係によって自動的に固定色を選択するモードである。固定色一定モード２２は、赤色Ｒまたは緑色Ｇの固定色を常に一定にするモードである。この固定色一定モード２２が設定されると、映像によって適応的に色変換を行うことはできないが、映像によって微妙に色味が変化することはない。また、固定色自動選択モード２１が設定されると、４色に適した色変換を行うことができる。
【００９６】
また、コンテンツ連動モード２３は、映像コンテンツの内容に応じて、固定色自動選択モード２１と、固定色一定モード２２とを切り換えるモードである。例えば、４色の効果を堪能したい映像コンテンツ（映画、絵画、風景など）では、固定色自動選択モード２１に切り換え、４色の効果があまり必要のない映像コンテンツ（ＰＣ、ニュース、スポーツなど）では、固定色一定モードに切り換える。なお、ＰＣとは、パーソナルコンピュータから入力されるＷｅｂデータやアプリケーションデータなどである。映像コンテンツの内容は、放送信号に含まれるジャンル情報などから取得してもよいし、ユーザが映像コンテンツの内容を入力するようにしてもよい。このように、ユーザが色変換メニュー画面からモード設定を選択できるようにすることで、ユーザの好みに応じた色変換を行うことが可能となる。
【符号の説明】
【００９７】
１…駆動制御回路、２…入力部、３…映像処理回路、４…制御部、５…光源制御回路、６…表示部、７…カラーフィルタ、８…液晶パネル本体、９…バックライト光源、１１…表示制御回路、１２，１２′…色変換部、１３…データ信号線駆動回路、１４…走査信号線駆動回路、１５…リモコン受光部、１６…シーンチェンジ判定部、２０…色変換メニュー画面。
【図１】
2014039246.tif 000013
【図２】
2014039246.tif 000014
【図３】
2014039246.tif 000015
【図４】
2014039246.tif 000016
【図５】
2014039246.tif 000017
【図６】
2014039246.tif 000018
【図７】
2014039246.tif 000019
【図８】
2014039246.tif 000020